(57)【要約】【課題】犬や猫等の小動物の散歩等で汚れた足を洗浄し、簡単に洗浄液を拭き取り、洗浄後の排水及び収納が簡単に行える小動物の足洗浄機を提供する。【解決手段】  排水受け容器７に架台１０を設け、その架台に支軸ピン８を取り付け、各洗浄容器の穴と支軸ピン８を連結する。これにより、支軸ピン８を支点に各洗浄容器を傾斜及び垂直にすることができる為、各洗浄容器の上にあるカバー上で小動物の足を洗浄してタオル等で拭く事ができ、洗浄液排水を排水受け容器７に流し、その排水を各洗浄容器の取手９を持って移動して捨て、壁際等に収納出来ることを特徴とした小動物の足洗浄機。【選択図】  図１
2011067116.tif 000002
【特許請求の範囲】
【請求項１】
排水受け容器に架台を設け、この架台に支軸ピンを、前後の洗浄容器に穴を設けて連結し、前後の洗浄容器の角度が変化できるようにする。又、前後の洗浄容器の上面開口部に、取り外し出来る穴のあいたカバーを有し、前後の洗浄容器を持って移動できる。以上の如く構成された小動物の足洗浄機。
【請求項２】
前後の洗浄容器の一部に洗浄水を溜める事が出来る窪みを有した事を特徴とした請求項１に記載の小動物の足洗浄機。  
【請求項３】
排水受け容器を分離し、中央容器下部の下部排水受け容器を自由に取り出しできるようにした事を特徴とした請求項１〜請求項２の何れかに記載の小動物の足洗浄機。
【発明の詳細な説明】
【技術分野】
【０００１】
本発明は、小動物の足洗浄機に属し、室内で飼っている犬、猫等のペットを散歩等で外出させた後、室内に入れる際に、そのペットの汚れた足を洗浄する洗浄機の技術分野に関するものである。
【背景技術】
【０００２】
室内で犬等の動物を飼っている人は多く、例えば室内犬を散歩等で外出させて帰ってきた際、動物の足に付着した砂や土、ごみ等の汚れは水道口場まで動物を抱えて運んで足洗いをしたり、濡らした雑巾等で拭いて落としてから、動物を室内に開放する事が多い。
【０００３】
また登録第３０８２７３６号登録実用新案公報には、上面が開口した洗浄液容器の底面にブラシを装着し、前記ブラシの毛足先端は、前記洗浄液容器の液面に対して斜めに形成された足裏洗浄器が記載されている。
【先行技術文献】
【特許文献】
【０００４】
【特許文献１】登録第３０８２７３６号登録実用新案公報
【発明の概要】
【発明が解決しようとする課題】
【０００５】
前記のように足裏が汚れた犬を、飼い主が水道口場まで抱えて運んで足洗いをしたり、水に濡らした雑巾等で足裏を拭く作業は大変であり、又、犬の足裏に付着した汚れを十分に除去しないまま室内に入れてしまう場合もあり、ペットや室内の衛生上好ましくない。
【０００６】
これに対して、前記登録第３０８２７３６号登録実用新案公報に記載された洗浄器を使えば確かに、肉球の隙間に入った汚れを充分に落とす事ができるかもしれない。しかし、この洗浄器で大型犬の足裏を洗う場合、洗浄容器が大きくなり、広い収納場所を必要とし、
又、使用した洗浄液が多くなった場合の処理に困る恐れがある。さらに、洗浄後の足を拭く際に、犬を抱えた状態で４本の足を拭く事になり、飼い主に大きな負担となり、かかる点が解決すべき課題とされている。
【０００７】
したがって、本発明の目的は、犬等のペット（小動物）の散歩等で汚れた足を洗浄後、簡単に４本の足をタオル等で拭き取る事ができ、又、使用した洗浄液を簡単に処理でき、さらに、広い収納場所を必要としない洗浄機を提供する事にある。
【課題を解決するための手段】
【０００８】
請求項１記載の発明の小動物の足洗浄機は、排水受け容器に架台を設け、この架台に支軸ピンを、前後の洗浄容器に穴を設けて連結し、前後の洗浄容器の角度が変化できるようにする。又、前後の洗浄容器の上面開口部に、取り外し出来る穴のあいたカバーを有し、前後の洗浄容器を持って移動できる。以上の如く構成された小動物の足洗浄機。
【０００９】
請求項２記載の発明の小動物の足洗浄機は、前後の洗浄容器の一部に洗浄水を溜める事が出来る窪みを有した事を特徴とした請求項１に記載の小動物の足洗浄機。  
【００１０】
請求項３記載の発明の小動物の足洗浄機は、排水受け容器を分離し、中央容器下部の下部排水受け容器を自由に取り出しできるようにした事を特徴とした請求項１〜請求項２の何れかに記載の小動物の足洗浄機。
【発明の効果】
【００１１】
請求項１記載の発明の小動物の足洗浄機は、排水受け容器に架台を設け、この架台に支軸ピンと前後の洗浄容器が垂直になったとき、支軸ピンより離脱しないようにする離脱防止板を設ける。前後の洗浄容器には穴を設けて支軸ピンと連結し前後の洗浄容器の角度が変化できるようにする。又、前後の洗浄容器の上面開口部に、取り外し出来る穴のあいたカバーを上に載せ、その上に小動物の足を乗せる事で、簡単に４本の足を洗浄してタオル等で拭く事ができる。さらに、前後の洗浄容器がその支軸ピンより取り外せるように穴に切り込みが入れてあるので、前後の洗浄容器を簡単に取り外す事ができる為、色々な組み合わせが可能で、又、各々を分離して洗浄及び収納できる。使用後は折りたたんで、洗浄容器の取手を持って移動し洗浄液を捨てたり、壁際等に収納でき、広い収納場所を必要としない効果が得られる。
【００１２】
請求項２記載の発明の小動物の足洗浄機は、前後の洗浄容器の一部に洗浄水を溜める事が出来る窪みがあるので、その中に小動物の足を入れ、洗浄液や消毒液をかけながら洗浄し、又、窪みに溜まった洗浄液等で再度しっかり洗うことができる。洗浄後は、前後の洗浄容器を徐々に傾けると、窪みにある洗浄液を排水受け容器に流す事が出来る。
【００１３】
請求項３記載の発明の小動物の足洗浄機は、排水受け容器を分離し、中央容器の下部に取り出しできる下部排水受け容器を設け、中央容器には前後の洗浄容器を載せることができる各支軸ピンと、前後の洗浄容器が垂直になったとき、支軸ピンより離脱しないようにする離脱防止板があり、又、排水を下部排水受け容器に流せるように開口があるので、いつでも下部排水受け容器を取り出す事ができる為、複数の動物の洗浄や長時間洗浄を行うことができる効果が得られる。
【図面の簡単な説明】
【００１４】
【図１】小動物の足洗浄機の全体を示した斜視図である。
【図２】後カバーの斜視図である。
【図３】各洗浄容器を垂直に折りたたんだ側面図である。
【図４】前洗浄容器を支軸ピンより取り外し、後洗浄容器を傾斜した側面図である。
【図５】排水受け容器の斜視図である。
【図６】後洗浄容器の斜視図である。
【図７】本発明の実施形態における小動物の足洗浄機の他の実施形態を示したもので、後洗浄容器に窪みを設けた斜視図である。
【図８】本発明の実施形態における小動物の足洗浄機の他の実施形態を示したもので、排水受け容器を中央容器と下部排水受け容器に分離した斜視図である。
【図９】本発明の実施形態における小動物の足洗浄機の他の実施形態を示したもので、中央容器の斜視図である。
【図１０】本発明の実施形態における小動物の足洗浄機の他の実施形態を示したもので、下部排水受け容器の斜視図である。
【発明を実施するための形態】
【００１５】
請求項１〜３記載の本発明に係る小動物の足洗浄機の好適な実施形態を、以下図面に従って説明する。
【実施例１】
【００１６】
図１に示すように小動物の足洗浄機１は、前洗浄容器２と後洗浄容器３の上面開口部に取り外し出来る穴６のあいた前カバー４と後カバー５をそれぞれの上に載せ、排水受け容器７に取り付けた架台１０にある支軸ピン８によって各洗浄容器が保持され、形成されている。この支軸ピン８はネジ等により取り外し可能な方法で架台１０に取り付けられる。前洗浄容器２と後洗浄容器３は同一形状で、各洗浄容器には、取手９が取り付けられている。図６では後洗浄容器３を示し、両端にカバーを保持する位置決めピン１８と支軸ピン８が入る長穴１２があいており、長穴１２には、支軸ピンより簡単に外せるように切り込み１３が入っている。この長穴１２は、各洗浄容器に各カバーを載せて垂直から図１の状態にした時、中央のカバー間に隙間が生じるので、各洗浄容器をそれぞれ中央の排水受け容器７に押し、隙間をなくす為のものである。一方、架台１０の中央に、離脱防止板１４が取り付けられているので、支軸ピン８を支点に後洗浄容器３を徐々に持ち上げても、図４に示すように、離脱防止板１４により後洗浄容器３は支軸ピン８から離れず、垂直を維持できる。又、図４に示すように前洗浄容器２の長穴１２から支軸ピン８を外すように前洗浄容器２を持ち上げると、簡単に支軸ピン８より外すことができ、個別に各洗浄容器を洗う事ができる。前カバー４と後カバー５は同一形状で、図２では後カバーを示し、小動物の足の爪がひっかからない位の小さな穴６があいており、又、両端には後洗浄容器３の位置決めピン１８が入るように、位置決め穴１９が開いている。後カバー５を後洗浄容器３の上に載せて上面開口部全面を覆うようにすると、後カバー５は移動できなくなる。同様に前洗浄容器２も同じようにする。尚、穴６の形は多角形でもどのような形でも良く、又、位置決めピン１８と位置決め穴１９の代わりに各洗浄容器側に凹部（又は凸部）を設け、カバー側に凸部（又は凹部）を設けて嵌め込み式により固定する等の適当な固定保持手段により連結しても良い。図５の排水受け容器７と各洗浄容器と各カバーを組み合わせた状態が図１に示され、散歩等から帰ってきた犬等の小動物の前足を、前カバー４上へ、後ろ足を後カバー５上へ乗せる。ペットボトルやじょうろ等に水等の洗浄液を入れてそれを小動物の足にかけながら洗浄する。洗浄液排水は各カバーの穴６を通り、下にある各洗浄容器等に流れる。犬等の小動物が多少カバー上で動いても、各カバーは各洗浄容器に固定されているので安心して洗浄できる。洗浄後は、小動物の足４本と前カバー４、後カバー５をタオル等で拭き取り、そのまま小動物を移動させれば良い。図１では各洗浄容器に長穴１２を設け、架台１０に支軸ピン８を取り付けたが、これと逆に各洗浄容器の長穴１２の代わりに支軸ピン８を取り付け、架台側を長穴１２にしても良い。図1で小動物の足の洗浄後、前洗浄容器２と後洗浄容器３の取手９をつかみ、中央の排水受け容器７から離れるように各洗浄容器を引っ張ると、各洗浄容器の長穴１２により、上にある各カバーは中央より離れてカバー間に隙間ができる。これにより取手９を徐々に持ち上げて図４に示すように傾斜させ、洗浄液排水を中央の排水受け容器７に流し、図３に示すように各洗浄容器を垂直に��、両方の取手９を一緒に持って移動できる為、排水受け容器７の排水を捨てる事が出来る。又、垂直にした時、各洗浄容器の側面等にフックやネジ（図示せず）等を取り付け、チェーンやゴム（図示せず）等、或いは磁石等で引き合うようにすると、垂直は保持されて各洗浄容器は倒れない為、壁際等の狭い場所等に収納できる。尚、各洗浄容器や各カバー及び排水受け容器７は、４角形に限らず、円形やその他各種形状及び大きさのものを用いる事ができ、又、排水受け容器７に取り付けた架台１０と架台に取り付けた支軸ピン８及びそれに連結する各洗浄容器の位置、形状、大きさは各洗浄容器が傾斜し、取り外し出来る構造であればどのような位置、形状、大きさでも良い。さらに、架台１０に設けた支軸ピン８と離脱防止板１４及び各洗浄容器に設けた長穴１２の代わりに、取り外し可能な雌雄のちょう番をそれぞれ架台１０と各洗浄容器に取り付けて連結し、傾斜できる構造にしても良い。
【実施例２】
【００１７】
次に、前後の洗浄容器の一部に洗浄水を溜める事が出来る窪みを設けたときの使用方法について説明する。
図７に示すように、前後の洗浄容器の一部に洗浄水を溜める事が出来る窪み１１を設ける。前洗浄容器２と後洗浄容器３は同一形状で、図７では後洗浄容器３を示している。汚れのひどい小動物の足の場合や消毒したい場合、各カバーを取り外し、各洗浄容器の窪み１１に足を入れ、洗浄液や消毒液をかけながら洗浄し、又、窪みに溜まった洗浄液等で再度しっかり洗うことができるようになる。洗浄後は、前後の洗浄容器を徐々に傾けると、窪み１１にある洗浄液を排水受け容器７に流す事が出来る。尚、各洗浄容器及び窪みの形状は、４角形に限らず、円形やその他各種形状及び大きさのものを用いる事ができる。
【実施例３】
【００１８】
次に、排水受け容器７を中央容器１５と下部排水受け容器１６に分離して、下部排水受け容器１６を自由に取り出しできるようにしたときの使用方法について説明する。
排水受け容器７を分離し、図８に示すように中央容器１５の下に自由に取り出し出来る下部排水受け容器１６を設ける。図９に示すように中央容器１５に前後の洗浄容器を載せる事ができる支軸ピン８と、各支軸ピンの中央に離脱防止板１４を取り付け、支軸ピン８に後洗浄容器３の長穴１２を挿入する。これにより、支軸ピン８を支点に後洗浄容器３を徐々に持ち上げても、実施例１の図４と同様に、離脱防止板１４により後洗浄容器３は支軸ピン８から離れず、垂直を維持できる。さらに、この中央容器１５の中心部には開口１７があり、各洗浄容器よりの洗浄液排水はこの開口１７より下に取り付けられた下部排水受け容器１６に流れていく。図９で、この開口１７は円形をしているが多角形でも良い。図１０の下部排水受け容器１６を図９の中央容器１５の下に入れ、後洗浄容器３の長穴１２を図９の支軸ピン８に入れ、後洗浄容器３の上面開口部に後カバー５を載せる。同じく前洗浄容器２も同様にすると、図８に示す状態となる。これにより、小動物の洗浄中或いは洗浄後、下部排水受け容器１６だけを取り出し洗浄液排水を捨てる事ができる為、複数の動物の洗浄及び長時間洗浄を行うことが可能となる。又、実施例１の図４と同様に、支軸ピン８から前洗浄容器２を垂直に持ち上げると、簡単に中央容器１５より外す事ができ、個別に各洗浄容器を洗う事ができる。図８の状態で小動物の足を洗浄後、各洗浄容器の取手９をつかみ、中央容器１５から離れるように各洗浄容器を引っ張ると、上にある各カバーは中央より離れ、カバー間に隙間ができる。これにより、取手９を徐々に持ち上げると各洗浄液排水は中央容器１５に流れ、続いてその下の下部排水受け容器１６へと流れる。図４と同様に、各洗浄容器は簡単に中央容器１５より取り外せるので色々な組み合わせが可能であり、より狭い場所等で利用できるようになる。又、収納も分解して個別に収納できる。尚、各洗浄容器や各カバー及び排水受け容器７は、４角形に限らず、円形やその他各種形状及び大きさのものを用いる事ができ、又、中央容器１５とそれに取り付けた支軸ピン８及びそれに連結する各洗浄容器の位置、形状、大きさは各洗浄容器が傾斜し、取り外し出来る構造であればどのような位置、形状、大きさでも良い。さらに、中央容器１５に設けた支軸ピン８と離脱防止板１４及び各洗浄容器に設けた長穴１２の代わりに、取り外し可能な雌雄のちょう番をそれぞれ中央容器１５と各洗浄容器に取り付けて連結し、傾斜できる構造にしても良い。
【符号の説明】
【００１９】
１    小動物の足洗浄機
２    前洗浄容器
３    後洗浄容器
４    前カバー
５    後カバー
６    穴
７    排水受け容器
８    支軸ピン
９    取手
１０    架台
１１    窪み
１２    長穴
１３    切り込み
１４    離脱防止板
１５    中央容器
１６    下部排水受け容器
１７    開口    
１８    位置決めピン
１９    位置決め穴
【図１】
2011067116.tif 000003
【図２】
2011067116.tif 000004
【図３】
2011067116.tif 000005
【図４】
2011067116.tif 000006
【図５】
2011067116.tif 000007
【図６】
2011067116.tif 000008
【図７】
2011067116.tif 000009
【図８】
2011067116.tif 000010
【図９】
2011067116.tif 000011
【図１０】
2011067116.tif 000012